(57)【特許請求の範囲】
【請求項１】
幅方向左右非対称形状のリング製品粗型を幅方向に連接部を介して対峙させて連設して幅方向左右対称形状に構成したリング中間品を冷間輪体圧延装置により製品形状に輪体圧延し、圧延と同時にあるいは圧延完了後にその位置で冷間輪体圧延装置に備えたロータリーカッターにより連接部を切断することを特徴とする幅方向左右非対称形状リング製品の製造方法。
【請求項２】
幅方向左右非対称形状のリング製品粗型を幅方向に連接部を介して対峙させて連設して幅方向左右対称形状に構成したリング中間品を冷間輪体圧延するための成形ロールとマンドレルと矯正ロールとバックアップロールからなる冷間輪体圧延装置において、マンドレル架台の圧延幅中央部のリング中間品の連設部位置に面して幅方向左右対称形状の圧延品の連接部を切断するためのロータリーカッターを該冷間輪体圧延装置に備えたことを特徴とする幅方向左右非対称形状リング製品製造装置。
【発明の詳細な説明】
【０００１】
【発明の属する技術分野】
ベアリングレースなどの幅方向左右非対称形状品のリング状部品の製造に関する。
【０００２】
【従来の技術】
現在、例えば図１に示すようなリング断面の左側２の厚みが薄く、右側３の厚みが厚いテーパーベアリングレース１など幅方向左右非対称形状リング製品の製造は、以下のような方法が採用されている。
（１）鍛造により得られたリングを素材としてあるいは鋼管を切断して得られたリングを素材としてリング状素材を全面旋削により所定の形状および寸法に成形する。
（２）鍛造により得られたリングをあるいは鋼管を切断して得られたリングを製品概形に旋削した後に熱間圧延にて圧延した後、さらに所定の形状および寸法に旋削する。
（３）鍛造により得られたリングをあるいは鋼管を切断して得られたリングを同一形状の２つの製品が対峙する幅方向左右対称形状になるようにしてペア圧延による冷間圧延して所定の形状に加工される。その後、内外寸法を正確に出すためにダイやポンチでサイジングし、この後、これらの左右対称形状の連接部を旋削２分割して２つの幅方向左右非対称形状のリングとする。
【０００３】
前記（１）の方法は簡便な方法であるが、狙いの製品形状がテーパー状等であるために旋削代が非常に多く、製品歩留りが非常に悪いという欠点がある。
【０００４】
さらに、前記（２）の方法を採用した場合は、工程が複雑な上に２回の旋削により歩留りが悪く、かつ、熱間圧延を行うための加熱炉が必要であり、加熱コストもかかってしまう。これら（１）（２）の問題点を解決するものとして、例えば特開平５−２２８５７１号に開示のの前記（３）の方法がある。しかし、この方法は、前記（１）あるいは（２）の方法に比べ、歩留りやコストの面で有利ではあるが、別途ダイやポンチでサイジングしているので圧延装置から外してしまうので、圧延装置の他に連接部の切断のための旋削設備をさらに必要とし、このための設備投資や生産性の面で問題がある。
【０００５】
【発明が解決しようとする課題】
本発明が解決しようとする課題は、上記の従来の問題点を解消し、とくに上記の（３）の幅方向左右対称形状のペア圧延による方法におけるペア圧延品の分離のための切削による生産性阻害の問題を解消して、ペア製品の分離工程を合理化して、冷間輪体圧延装置自体において切断分離を可能とし、幅方向左右非対称ベアリングレースの冷間輪体圧延による製造を可能とすることである。
【０００６】
【課題を解決するための手段】
上記の課題を達成するための基本的技術手段は、冷間輪体圧延装置にロータリーカッターを備えペア圧延品を自動分離させることである。すなわち、本発明の手段は、請求項１発明では、熱間鍛造により予め成形した幅方向左右非対称形状のリング製品粗型を幅方向に連接部を介して対峙させて連設して幅方向左右対称形状に構成したリング中間品とし、このリング中間品を冷間輪体圧延装置により製品形状に輪体圧延し、圧延と同時にあるいは圧延終了後、冷間輪体圧延装置に備えたロータリーカッターにより連接部を切断することを特徴とする幅方向左右非対称形状リング製品の製造方法である。
【０００７】
請求項２の発明では、幅方向左右非対称形状のリング製品粗型を幅方向に連接部を介して対峙させて連設して幅方向左右対称形状に構成したリング中間品を冷間輪体圧延する成形ロールとマンドレルと矯正ロールとバックアップロールからなる冷間輪体圧延装置において、該冷間輪体圧延装置のマンドレル架台の圧延幅中央部のリング中間品の連設部位置に面して幅方向左右対称形状の圧延製品の連接部を切断するためのロータリーカッターを設けたことを特徴とする幅方向左右非対称形状リング製品製造装置である。
【０００８】
本発明におけるロータリーカッターによる切断の場合は、旋削による切屑の発生がなくなるので切屑による製品への疵の発生がなくなり、さらに切削による従来の方法よりも歩留りが向上する。さらに、本発明は、冷間輪体圧延装置自体で分離切断するので現有の冷間輪体圧延設備の微小改造で工程改良及び設備改良できるなどの利点がある。
【０００９】
【発明の実施の形態】
請求項１の発明の実施の形態は、図１に示すように、幅方向左右非対称形状リング製品１は、その切断面において左側は肉薄部２で右側は肉厚部３からなっている。この幅方向左右非対称形状リング製品の粗型を幅方向に連接部５を介して対峙させて、すなわち肉薄部３、３どうしを近くにして向かい合わせて図２に示すように連設部で連設し、幅方向の左右が対称な形状のリング中間品４に構成する。この幅方向左右対称形状のリング中間品４は予め熱間鍛造等により成形しておく。このように構成したリング中間品４を冷間輪体圧延装置により製品形状に輪体圧延する。そして圧延と同時に、あるいは圧延終了後に、この連接部５を図４に示す冷間輪体圧延装置に備えたロータリーカッター１１にて冷間輪体圧延装置から取り外すことなくその位置で切断し、一度に２個の幅方向左右非対称形状のリング製品１を得る。
【００１０】
請求項２の実施の形態は、上記の請求項１の方法を実施する冷間輪体圧延装置であり、図２に示すように、幅方向の左右が非対称な形状のリング製品の粗型を幅方向に連接部５を介して対峙させて連設して、幅方向の左右が対称形状のリング中間品４に構成し、このリング中間品４を冷間輪体圧延し、切断した幅方向左右非対称形状のリング製品を一度に２個製造する装置である。この冷間輪体圧延装置は、図３に示すように、製品形状の圧延型面を有する成形ロール６とマンドレル架台（図示しない）に製品形状の圧延型面を有するマンドレル７を配設し、さらにマンドレル７の後方にマンドレル７の駆動およびマンドレル７を支持するバックアップロール９を設け、さらに圧延中のリング中間品１０のリングの外側には圧延中のリング中間品１０を挟持して矯正するための矯正ロール８が配設されている装置からなり、この成形ロール６は圧延中のリング中間品１０の方向の加圧方向１２に加圧しながら回転して圧延中のリング中間品１０のリング内に配設されてマンドレル７との間で圧延中のリング中間品１０を圧延するものである。そして、請求項２の実施の形態の装置では、図４に示すように、この図３に示す冷間輪体圧延装置の矯正ロール８と同軸の位置で、かつ、マンドレル７を支持しているマンドレル架台の圧延幅の中央部の連設部５に面する位置に、すなわち左右対称に対峙して連設した圧延中のリング中間品１０の連設部５に面する位置に図５に示すロータリーカッター１１を備えた冷間輪体圧延装置である。そして、ロータリーカッター１１は圧延中の任意の時期に圧延中のリング中間品１０の方向に移動して圧延中のリング中間品１０或いは圧延後のリング製品を切断可能となっている。なお、図５の（ａ）はロータリーカッター１１の刃の部分を上面から見た平面図であり、図５の（ｂ）はロータリーカッター１１の側面から側面図である。
【００１１】
さらに他の請求項２の発明の実施の形態はロータリーカッター１１に代えて、切削工具のバイトの刃先をマンドレル７と成形ロール６に狭圧された圧延領域の圧延回転方向の出口近傍に設置して、圧延と同時に切削により分離する装置とするものである。
【００１２】
【実施例】
実施例１：外径１００ｍｍ〜１３０ｍｍ、最小内径９０ｍｍ〜１２０ｍｍ、幅１５ｍｍ〜２０ｍｍの断面がテーパー形状をなすリング状製品を得るために、予め熱間鍛造により製造し熱処理した素材からなる外径７０ｍｍ〜１００ｍｍ、内径６０ｍｍ〜８０ｍｍ、幅３５ｍｍ〜４５ｍｍのリング状素材の２個分を肉薄部２を内側に対峙して連設部で連設したリング中間品１０を、図４に示す冷間輪体圧延装置で製品形状に圧延し、圧延後半部において、同圧延装置に備えたロータリーカッター１１にて、幅３ｍｍ〜５ｍｍの連接部５を切断することによって、生産性よく２個のテーパー状リング製品を得ることができた。ロータリーカッター１１で切断することにより、従来の方法によるテーパー形状のリング状製品を得るために必要な切削工程が大幅に省減され、かつ歩留りが約５％向上した。
【００１３】
実施例２：本発明の冷間輪体圧延装置のマンドレル７と成形ロール６に狭圧された圧延領域の圧延回転方向の出口近傍に切削工具のバイトの刃先を設置し、圧延と同時に切断旋削を可能とする装置とし、球状化焼鈍を施した軸受け鋼の熱間鍛造して熱処理したリング素材からなる左右対称に肉薄部２、２を連設部５で連設した幅方向左右対称のリング中間品４を上記の冷間輪体圧延装置で圧延し、圧延中のリング中間品１０を圧延と同時に連設部５で切断旋削して分離し、２個の幅方向左右非対称形状であるリング製品を製造した。一方、これと同一形状の幅方向左右非対称形状リング製品を表１に示す比較例１〜３の従来方法により製造した。その結果、生産性は表１に示す通りで、例えば従来法である比較例３では生産性が１２個／分であったのに対して、本発明では２２個／分であり、生産性が大きく向上した。
【００１４】
【表１】
0003645122.tif 000002
【００１５】
【発明の効果】
本発明は、冷間輪体圧延装置に取り付けられたロータリーカッターによって、圧延中、又は圧延終了後にその圧延設備自体の位置で引き続いて素材や工具の掴み替え等なしに幅方向左右対称に連設したリング中間品の連接部を切断することができるので、当該部切断のための特別な設備や工程を圧延設備とは別に必要とすることなく、幅方向の左右が非対称であるリング状製品を製造することができる。また、ロータリーカッター設置した本発明の冷間輪体圧延装置によるとき切削屑が発生しないため、切削屑の処理の必要なく、切削屑による製品の疵発生を無くし、かつ、高い歩留りで製品を得ることができる。
【図面の簡単な説明】
【図１】本発明の適用対象となる幅方向左右非対象形状リング製品の断面形状を模式的に示す図である。
【図２】本発明の適用対象となる幅方向左右非対象形状リング素材を連設部を会して対峙して連設して構成した幅方向左右対称形状のリング中間品を模式的に示す図である。
【図３】冷間輪体圧延装置の構成を模式的に示す側面図である。
【図４】本発明の一実施の形態の冷間輪体圧延装置を模式的に示す側面図である。
【図５】ロータリーカッターの形状を概略示す図で（ａ）は平面図で、（ｂ）は側面図である。
【符号の説明】
１  幅方向左右対称形状リング製品
２  肉薄部                      ３  肉厚部
４  リング中間品                ５  連設部
６  成形ロール                  ７  マンドレル
８  矯正ロール                  ９  バックアップロール
１０  圧延中のリング            １１  ロータリーカッター
１２  加圧方向
【図１】
0003645122.tif 000003
【図２】
0003645122.tif 000004
【図３】
0003645122.tif 000005
【図４】
0003645122.tif 000006
【図５】
0003645122.tif 000007